(57)【要約】      （修正有）【課題】設置面に固定することを要さず、複数の子供が集合して遊ぶことで子供の創造性や協調性等を刺激することができる遊具を提供する。【解決手段】遊具は、第１の円弧状部分を有し、第１の円弧状部分の凸側の少なくとも一部に凸状部１１０若しくは凹状部１１２の少なくともいずれかを有する湾曲板状の円弧部１００と、円弧部１００の両端部に固定され、第１の円弧状部分の凹側に凸側を向けて円弧部１００より緩やかに湾曲する湾曲板状の連結部１２０とを有する大拠点パーツ１０と、第１の円弧状部分の円弧を含む第１の仮想円と同心円となる他の仮想円の一部の円弧に対応する他の円弧状部分を有し、他の円弧状部分の凸側の少なくとも一部に凸状部若しくは凹状部の少なくともいずれかを有する湾曲板状であり、大拠点パーツより軽量であるモバイルパーツとを備える。【選択図】図１
2020146143.tif 000002
【特許請求の範囲】
【請求項１】
第１の円弧状部分を有し、前記第１の円弧状部分の凸側の少なくとも一部に凸状部若しくは凹状部の少なくともいずれかを有する湾曲板状の円弧部と、前記円弧部の両端部に固定され、前記第１の円弧状部分の凹側に凸側を向けて前記円弧部より緩やかに湾曲する湾曲板状の連結部とを有する大拠点パーツと、
前記第１の円弧状部分の円弧を含む第１の仮想円と同心円となる他の仮想円の一部の円弧に対応する他の円弧状部分を有し、前記他の円弧状部分の凸側の少なくとも一部に凸状部若しくは凹状部の少なくともいずれかを有する湾曲板状であり、前記大拠点パーツより軽量であるモバイルパーツと
を備え、
前記大拠点パーツの前記凸状部若しくは前記凹状部と、前記モバイルパーツの前記凹状部若しくは前記凸状部とが着脱自在に設けられ、前記大拠点パーツを基点とし、前記モバイルパーツを前記大拠点パーツに組み合わせ可能な遊具。
【請求項２】
前記大拠点パーツの前記円弧部が、同一形状の複数の部分円弧部を有して構成され、
前記大拠点パーツの前記連結部が、同一形状の複数の部分連結部を有して構成され、
前記部分円弧部が、前記第１の円弧状部分の円弧に沿って設けられる位置決め部を側面に有し、
一の部分円弧部の側面と他の部分円弧部の側面とがそれぞれの前記位置決め部において位置決めされ、前記位置決めされた状態で固定され、
前記複数の部分円弧部の端部が、前記複数の部分連結部の少なくとも一部に固定される請求項１に記載の遊具。
【請求項３】
前記第１の円弧状部分の前記凸側若しくは凹側に、前記モバイルパーツの凹側若しくは前記凸側が位置するように前記大拠点パーツに対して前記モバイルパーツを配置することで、前記第１の仮想円と前記他の仮想円とが略同心円の配置となり、前記大拠点パーツ及び前記モバイルパーツを一体的に収納可能な請求項１又は２に記載の遊具。
【請求項４】
前記大拠点パーツ及び前記モバイルパーツが、中空ポリエチレン回転成形体である請求項１〜３のいずれか１項に記載の遊具。
【請求項５】
前記第１の仮想円若しくは前記他の仮想円と同心円となり、前記第１の仮想円及び前記他の仮想円とは異なる更に他の仮想円の一部の円弧に対応する更に他の円弧状部分を有し、前記更に他の円弧状部分の凸側の少なくとも一部に凸状部若しくは凹状部の少なくともいずれかを有する湾曲板状の他のモバイルパーツ
を更に備え、
前記大拠点パーツの前記凸状部若しくは前記モバイルパーツの前記凸状部又は前記大拠点パーツの前記凹状部若しくは前記モバイルパーツの前記凹状部と、前記他のモバイルパーツの前記凹状部若しくは前記凸状部とが着脱自在に設けられる請求項１〜４のいずれか１項に記載の遊具。
【請求項６】
前記モバイルパーツの凸側の少なくとも一部を覆う湾曲板状のカバーパーツと、
前記大拠点パーツ及び前記モバイルパーツの側方の少なくとも一部を覆うと共に、縁部に波型形状を有し、前記波型形状が複数の波型凸部を含み、前記複数の波型凸部の先端を結んだ仮想円が、前記第１の仮想円と同心円である板状の蓋パーツと、
略直方体形状を有し、複数の凸状部及び凹状部を有する一対の面と、前記一対の面とは異なる面の一部に溝部とを有し、長辺が、前記第１の仮想円及び前記他の仮想円のうち直径が小さい方の仮想円の直径より短いリンクパーツと
を更に備える請求項１〜５のいずれか１項に記載の遊具。
【請求項７】
前記大拠点パーツに前記モバイルパーツを組み合わせた状態で、所定の台車に搭載可能な請求項１〜６のいずれか１項に記載の遊具。
【請求項８】
大拠点パーツに対してモバイルパーツが着脱自在である遊具の前記大拠点パーツを備える遊具であって、
前記大拠点パーツが、第１の円弧状部分を有し、前記第１の円弧状部分の凸側の少なくとも一部に凸状部若しくは凹状部の少なくともいずれかを有する湾曲板状の円弧部と、前記円弧部の両端部に固定され、前記第１の円弧状部分の凹側に凸側を向けて前記円弧部より緩やかに湾曲する湾曲板状の連結部とを有し、前記モバイルパーツより重い遊具。
【発明の詳細な説明】
【技術分野】
【０００１】
本発明は、遊具に関する。特に、本発明は、複数のパーツの組み合わせが可能であり、拠点となるパーツと持ち運び可能なパーツとを含む遊具に関する。
【背景技術】
【０００２】
従来、公園や広場等に設置される滑り台やジャングルジム等の遊具が知られており、このような遊具は複数の支柱や床材等を用いて組み立てられている（例えば、特許文献１参照。）。また、遊戯要素及び遊戯要素を設置面に支持させる支持構造体からなる遊具本体を備える遊具が知られている（例えば、特許文献２参照。）。
【先行技術文献】
【特許文献】
【０００３】
【特許文献１】特許４３９２０５３号公報
【特許文献２】特開２０１８−０８６２２２号公報
【発明の概要】
【発明が解決しようとする課題】
【０００４】
しかし、特許文献１や特許文献２に記載されている遊具においては設置面に遊具が固定され、遊具を移動させることができず、既存の公園遊具の利用ルールを予め設定した管理者側の制約に遊び方が限定される場合がある。また、移動可能な玩具としては、例えば、積み木がある。積み木を用いることで子供の創造性を刺激することができるものの、積み木は一人遊びになりがちであり、複数の子供が集合して遊ぶこと、すなわち、子供たちが協力して遊具を運んで遊ぶことはできない（例えば、通常、１つの積み木を複数人で協力して運ぶことはない。）。そのため、積み木を用いた場合、子供の創造性や協調性等を刺激することには限界がある。
【０００５】
したがって、本発明の目的は、設置面に固定することを要さず、複数の子供が集合して遊ぶことで子供の創造性や協調性等を刺激することができる遊具を提供することにある。
【課題を解決するための手段】
【０００６】
本発明は、上記目的を達成するため、第１の円弧状部分を有し、第１の円弧状部分の凸側の少なくとも一部に凸状部若しくは凹状部の少なくともいずれかを有する湾曲板状の円弧部と、円弧部の両端部に固定され、第１の円弧状部分の凹側に凸側を向けて円弧部より緩やかに湾曲する湾曲板状の連結部とを有する大拠点パーツと、第１の円弧状部分の円弧を含む第１の仮想円と同心円となる他の仮想円の一部の円弧に対応する他の円弧状部分を有し、他の円弧状部分の凸側の少なくとも一部に凸状部若しくは凹状部の少なくともいずれかを有する湾曲板状であり、大拠点パーツより軽量であるモバイルパーツとを備え、大拠点パーツの凸状部若しくは凹状部と、モバイルパーツの凹状部若しくは凸状部とが着脱自在に設けられ、大拠点パーツを基点とし、モバイルパーツを大拠点パーツに組み合わせ可能な遊具が提供される。
【発明の効果】
【０００７】
本発明に係る遊具によれば、設置面に固定することを要さず、複数の子供が集合して遊ぶことで子供の創造性や協調性等を刺激することができる遊具を提供できる。
【図面の簡単な説明】
【０００８】
【図１】本実施形態に係る遊具を構成する複数のパーツの斜視図である。
【図２】本実施形態に係る複数のパーツが収納された状態の遊具の概要図である。
【図３】本実施形態に係る遊具を搭載する台車の概要図である。
【図４】本実施形態に係る遊具の遊び方の概要図である。
【図５】本実施形態に係る大拠点パーツの構成を示す図である。
【図６】本実施形態に係る第１モバイルパーツの構成を示す図である。
【図７】本実施形態に係る第２モバイルパーツの構成を示す図である。
【図８】本実施形態に係る第３モバイルパーツの構成を示す図である。
【図９】本実施形態に係るカバーパーツの構成を示す図である。
【図１０】本実施形態に係る蓋パーツの構成を示す図である。
【図１１】本実施形態に係るリンクパーツの構成を示す図である。
【図１２】本実施形態に係る遊具を収納する方法を示す図である。
【図１３】本実施形態に係る遊具を収納する方法を示す図である。
【図１４】本実施形態に係る遊具を収納する方法を示す図である。
【図１５】本実施形態に係る遊具を収納する方法を示す図である。
【図１６】本実施形態に係る遊具を収納する方法を示す図である。
【図１７】本実施形態に係る遊具を収納する方法を示す図である。
【図１８】本実施形態に係る遊具を収納する方法を示す図である。
【図１９】本実施形態に係る遊具を収納する方法を示す図である。
【発明を実施するための形態】
【０００９】
［実施の形態］
＜遊具の概要＞
【００１０】
本実施形態に係る遊具は、子供が単独で持ち運ぶには困難さを感じる重さを有する拠点となるパーツ（以下、「大拠点パーツ」と称する）と、子供が単独で持ち運び容易な形状及び重さを有するモバイルパーツとを備える。そして、大拠点パーツを基点にし、大拠点パーツにモバイルパーツを組み合わせること、及び／又はモバイルパーツ同士を組み合わせることで様々な形状の遊具を構成することができる。
【００１１】
大拠点パーツはトンネル状のパーツであり、一例として２０ｋｇ程度の重さを有する。一方、モバイルパーツとしては、形状の異なる複数のモバイルパーツを用いることができる。すなわち、複数のモバイルパーツはそれぞれ、子供が両手若しくは片手で容易に持ち運びできる重さ、サイズを有する。モバイルパーツの重さは、パーツの形状に応じて変化するものの、例えば、数ｋｇ〜十ｋｇ程度である。また、モバイルパーツのサイズもパーツの形状に応じて変化するものの、例えば、当該モバイルパーツの平面視における最大幅が十数ｃｍ〜数十ｃｍ、若しくは数十ｃｍ〜１．５ｍ程度である。なお、複数のモバイルパーツを結合させることにより、子供が単独で持ち運ぶには困難さを感じる重さを有する拠点（拠点アイテム）を構成することもできる。
【００１２】
したがって、本実施形態においては、大拠点パーツを基点にし、大拠点パーツに様々なモバイルパーツを組み合わせること、及び／又はモバイルパーツ同士を組み合わせることで様々な形状の遊具を構成することができる。そのため、本実施形態に係る遊具を用いて複数の子供が集合して遊ぶことができ、かつ、各子供の創造性を刺激することができる。また、本実施形態に係る遊具は、大拠点パーツを基点にし、大拠点パーツにモバイルパーツをコンパクトに収納できる形状を有する。したがって、遊具で遊んだ後、子供に遊具を収納することの習慣づけ、つまり、片づけの習慣を付けさせることができる。
【００１３】
＜遊具１の構成パーツの概要＞
図１は、本実施形態に係る遊具を構成する複数のパーツの斜視図の一例を示す。
【００１４】
本実施形態に係る遊具１は、複数のパーツを備えて構成される。複数のパーツとしては、大拠点パーツ１０、及び複数のモバイルパーツが挙げられる。具体的に、大拠点パーツ１０は、形状がＣ字型の円弧部１００（以下、「Ｔｙｐｅ  Ａ」と称する場合がある。）と、円弧部１００及び他のモバイルパーツの受け基台として機能する連結部１２０（以下、「Ｔｙｐｅ  Ｈ」と称する場合がある。）とを有して構成される。
【００１５】
一方、モバイルパーツとしては複数の形状のモバイルパーツが挙げられる。すなわち、形状がＣ字型であり、歯車の一部の形状を有するパーツである第１モバイルパーツ２０（以下、「Ｔｙｐｅ  Ｂ」と称する場合がある。）、及び第２モバイルパーツ３０（以下、「Ｔｙｐｅ  Ｃ」と称する場合がある。）と、形状がＣ字型の一部分の形状であり、歯車の一部の形状を有するパーツである第３モバイルパーツ４０（以下、「Ｔｙｐｅ  Ｅ」と称する場合がある。）と、ブロック状の形状を有すると共に表面に歯車の一部の形状を有するパーツであるリンクパーツ７０（以下、「Ｔｙｐｅ  Ｄ」と称する場合がある。）と、シェル形状であると共に他のＣ字型及びＣ字型の一部分の形状を有するモバイルパーツの当該Ｃ字型部分の円弧と同心円の円弧状を有し、最外殻に配置されるパーツであるカバーパーツ５０（以下、「Ｔｙｐｅ  Ｆ」と称する場合がある。）と、大拠点パーツ１０及び複数のモバイルパーツの側面を覆う蓋パーツ６０（以下、「Ｔｙｐｅ  Ｇ」と称する場合がある。）とが挙げられる。なお、Ｔｙｐｅ  Ｅを複数（例えば、３つ）に分割した形状の分割モバイルパーツを用いることもできる。
【００１６】
ここで、大拠点パーツの円弧部１００は、凸側表面に複数の凸状部１１０及び複数の凹状部１１２を有する。また、大拠点パーツ１０の円弧部１００は、円弧部１００を複数に分割した複数の部分円弧部から構成できる。更に、大拠点パーツ１０の連結部１２０も、連結部１２０を複数に分割した複数の部分連結部から構成できる。そして、複数の部分円弧部のうち少なくとも１つ、好ましくは２つの部分円弧部が複数の部分連結部に固定される。なお、図１では連結部１２０に３つの部分円弧部が固定されている例を示す。
【００１７】
一方、第１モバイルパーツ２０は、凸側表面に複数の凸状部２１０及び複数の凹状部２１２を有する。また、第２モバイルパーツ３０は、凸側表面に複数の凸状部３１０及び複数の凹状部３１２を有する。そして、第３モバイルパーツ４０は、凸側表面に複数の凸状部４１０及び複数の凹状部４１２を有すると共に凹側表面に内側凸状部４１４を有する。なお、図１では、第１モバイルパーツ２０、第２モバイルパーツ３０、及び第３モバイルパーツ４０を１つのみ図示しているが、遊具１は各モバイルパーツを複数備えることができる。また、リンクパーツ７０は、略直方体上のブロック形状を有し、直方体の一対の面に凸状部７１０及び凹状部７１２を有すると共に、他の面に溝部７１４を有する。なお、カバーパーツ５０、蓋パーツ６０、及びリンクパーツ７０についても図１では１つずつ図示しているが、遊具１は各パーツを複数備えることができる。
【００１８】
＜遊具１の収納状態の概要＞
図２は、本実施形態に係る複数のパーツが一体的に収納された状態の遊具の概要を示す。具体的に、図２（ａ）が遊具の斜視図の一例を示し、図２（ｂ）が図２（ａ）のＡ−Ａ断面図の概要の一例を示す。なお、図２（ｂ）においては後述する蓋パーツの図示を省略している。
【００１９】
本実施形態に係る遊具１は、図２（ａ）に示すように、大拠点パーツ１０の内側及び外側に他のパーツを組み合わせることや格納することで、複数のパーツを一体的に収納できる。すなわち、図２（ｂ）に示すように、大拠点パーツ１０の最も内側に、第２モバイルパーツ３０が収納され、第２モバイルパーツ３０と大拠点パーツ１０との間に第１モバイルパーツ２０が収納される。そして、大拠点パーツ１０の外側表面に第３モバイルパーツ４０が組み合わされる。すなわち、大拠点パーツ１０の凹状部１１２に第３モバイルパーツ４０の内側凸状部４１４が嵌め込まれ、第３モバイルパーツ４０が大拠点パーツ１０に固定される。
【００２０】
更に、第３モバイルパーツ４０の凸側表面に設けられた凹状部４１２にカバーパーツ５０の内側凸状部５１４が嵌め込まれ、カバーパーツ５０が第３モバイルパーツ４０を介して大拠点パーツ１０に固定される。なお、リンクパーツ７０は、大拠点パーツ１０の円弧部１００と連結部１２０との間の空洞１４０であって、第２モバイルパーツ３０の内側の空洞１４０内に搭載される（図示しない）。そして、図２（ａ）に示すように、大拠点パーツ１０、複数のモバイルパーツ、及びリンクパーツ７０の両側面に蓋パーツ６０を嵌め込む。これにより、大拠点パーツ１０に各モバイルパーツ、及びリンクパーツ７０が入れ子状に搭載され、かつ、最外殻としてカバーパーツ５０を組み合わせると共に側方から蓋パーツ６０を嵌め込むことで、複数のパーツを一体的に仮収納することができる。
【００２１】
本実施形態においては、大拠点パーツ１０の円弧部１００、第１モバイルパーツ２０の円弧状部分、第２モバイルパーツ３０の円弧状部分、第３モバイルパーツ４０の円弧状部分、及びカバーパーツ５０の円弧状部分が同心円状になるようにサイズが調整されている。したがって、本実施形態に係る遊具１に接した子供達に対し、大拠点パーツ１０に他の各パーツのサイズ順に搭載する動機づけを与えることができる。その結果、本実施形態に係る遊具１を用いることで、子供達に遊具を「片づける」ことや「整頓する」こと等を促すことができる。
【００２２】
＜遊具１を搭載する台車の概要＞
図３は、本実施形態に係る遊具を搭載する台車の概要の一例を示す。
【００２３】
本実施形態に係る遊具１は、所定の台車２に搭載することができる。すなわち、大拠点パーツ１０にその他のパーツ（例えば、第１〜第３モバイルパーツ、カバーパーツ５０、蓋パーツ６０、及び／又はリンクパーツ７０）を組み合わせた状態で、所定の台車２に搭載できる。台車２を用いることで、子供であっても、複数のパーツが一体となった遊具１を様々な場所に容易に運ぶことができる。
【００２４】
図３（ａ）に示すように、台車２は、遊具１が搭載される設置面である略矩形の底部４と、底部４の一対の辺に底部４に略垂直方向に立って設けられる側面部５と、底部４の四隅に設けられる車輪６と、底部４に接続され、所定の長さを有する紐８と、底部４に搭載される遊具１を底部４に固定するバンド９とを備える。バンド９は遊具１を台車２に固定可能であれば、その形状、本数等は適宜変更できる。
【００２５】
図３（ｂ）に示すように、底部４に遊具１が搭載され、遊具１はバンド９によって台車２に固定される。これにより紐８を複数の子供が引くことで、台車２ごと遊具１を様々な場所に移動させることができる。これにより、本実施形態に係る遊具１は、台車２を用いることで複数の子供が協力して遊具１を運ぶことを促すことができるので、子供達の協調性を育むことができる。
【００２６】
＜遊具１を用いた遊び方の概要＞
図４は、本実施形態に係る遊具の遊び方の概要の例を示す。
【００２７】
図４（ａ）は、大拠点パーツ１０と第３モバイルパーツ４０とを用いる例を示す。この例では、まず、大拠点パーツ１０の円弧部１００の凹側を地面等の設置面に向けて載置する。そして、一の第３モバイルパーツ４０の凸側を上にして、第３モバイルパーツ４０の端部４０４を一の凹状部１１２に嵌め込む。これにより、大拠点パーツ１０と第３モバイルパーツ４０とが組み合わされ、第３モバイルパーツ４０が橋のような機能を発揮するようになる。また、他の第３モバイルパーツ４０の凸側を下にして、第３モバイルパーツ４０の凸状部４１０を大拠点パーツの他の凹状部１１２に嵌め込むことで、大拠点パーツ１０と第３モバイルパーツ４０とを組み合わせることもできる。
【００２８】
図４（ｂ）は、大拠点パーツ１０と、第３モバイルパーツ４０及びカバーパーツ５０とを用いる例を示す。この例では、大拠点パーツ１０を地面等の設置面に図４（ａ）と同様にして載置する。そして、カバーパーツ５０の凸側を上にして、カバーパーツ５０の端部５０４を一の凹状部１１２に嵌め込む。また、第３モバイルパーツ４０の凸側を上にして、第３モバイルパーツ４０の端部４０４を他の凹状部１１２に嵌め込む。これにより、眼鏡橋のような構造の遊具を構成できる。
【００２９】
図４（ｃ）は、リンクパーツ７０と第３モバイルパーツ４０とを用いる例を示す。この例では、リンクパーツ７０の溝部７１４に第３モバイルパーツ４０の端部４０４が嵌め込まれる。
【００３０】
図４（ｄ）は、複数の第１モバイルパーツ２０を組み合わせる例を示す。第１モバイルパーツ２０の側面には、複数の第１モバイルパーツ２０を積み重ねた場合に第１モバイルパーツ２０がずれ落ちること、滑ること等を防止する観点から、位置決め部２３０が設けられる。位置決め部２３０は、所定形状の凸部、凹部、及び／又は溝部等から構成される。例えば、一の第１モバイルパーツ２０の一方の側面に凸状の位置決め部２３０が設けられ、他方の側面に凹状であって当該凸状と嵌め合わせ可能な形状の位置決め部２３０が設けられる。
【００３１】
そして、一の第１モバイルパーツ２０の側面を地面等の設置面に載置し、一の第１モバイルパーツ２０の設置面の反対側面に他の第１モバイルパーツ２０の側面を合わせ、位置決め部２３０を用いて他の第１モバイルパーツ２０を一の第１モバイルパーツ２０に固定する。これを繰り返すことにより、円筒の側面の一部に隙間が空いた筒状構造が構成される。すなわち、複数の第１モバイルパーツ２０を水平に積み重ねることで、子供が一人のみでは容易に動かすことができない「拠点遊具」（要塞、砦）を構成することができる。
【００３２】
また、図示しないが、円弧状部分を有するパーツ（例えば、カバーパーツ５０）の凸側を地面等に向けておくことで、シーソーのようにして遊ぶこともできる。更に、リンクパーツ７０は単独で、椅子としての機能を有する。
【００３３】
なお、大拠点パーツ１０に、他のモバイルパーツ（第２モバイルパーツ３０や第３モバイルパーツ４０）、リンクパーツ７０、及び／又は蓋パーツ６０を組み合わせ、他の様々な形態を構成することもできる。
【００３４】
＜遊具１の各パーツの詳細＞
以下、遊具１を構成する各パーツの詳細について説明する。遊具１を構成するパーツとしては、大拠点パーツ１０と、いずれも湾曲板状であって湾曲部分を円弧として有する仮想円の直径が各々異なるモバイルパーツ（例えば、第１モバイルパーツ２０、第２モバイルパーツ３０、及び第３モバイルパーツ４０）と、カバーパーツ５０と、蓋パーツ６０と、リンクパーツ７０とが挙げられる。
【００３５】
（大拠点パーツ１０［Ｔｙｐｅ  Ａ及びＴｙｐｅ  Ｈ］の詳細）
図５は、本実施形態に係る遊具を構成する大拠点パーツの構成の一例を示す。図５（ａ）は大拠点パーツ１０の斜視図の一例を示し、図５（ｂ）は正面の一例を示し、図５（ｃ）は側面の一例を示す。また、図５（ｄ）は大拠点パーツ１０の底面の一例を示し、（ｅ）は上面の一例を示し、図５（ｆ）は図５（ｂ）のＡ−Ａ線における断面の一例を示す。
【００３６】
遊具１を構成し、基点となるパーツである大拠点パーツ１０は、長手方向に沿って円弧状に湾曲されて形成されるアーチ形状を有し、アーチ形状の凸側に凸状部１１０及び凹状部１１２を有する湾曲板状のパーツと、アーチ形状の下部に当該アーチ形状より緩やかに湾曲する湾曲板状のパーツとを有して構成される。すなわち、大拠点パーツ１０は、湾曲板状の円弧部１００と円弧部１００より緩やかに湾曲し、円弧部１００の両端に固定される湾曲板状の連結部１２０とを有する。具体的に、大拠点パーツ１０は、第１の円弧状部分１０２を有し、第１の円弧状部分１０２の凸側の少なくとも一部に凸状部１１０若しくは凹状部１１２の少なくともいずれかを有する湾曲板状の円弧部１００（Ｔｙｐｅ  Ａ）と、円弧部１００の両端部（２つの端部１０４）に固定され、第１の円弧状部分１０２の凹側に凸側を向けて円弧部１００より緩やかに湾曲する湾曲板状の連結部１２０（Ｔｙｐｅ  Ｈ）とを有して構成される。
【００３７】
円弧部１００の凸側表面には、複数の凸状部１１０及び凹状部１１２を設けることができる。そして、複数の凸状部１１０及び凹状部１１２はそれぞれ略同一のピッチで配置される。すなわち、円弧部１００の凸側表面には、円弧部１００の周方向に沿って略等間隔に複数の凸状部１１０及び複数の凹状部１１２が設けられる。つまり、円弧部１００は、歯車（若しくはギア）の一部の形状を有して構成される。
【００３８】
また、連結部１２０は、図５（ｂ）に示すように、連結部１２０の凸側表面に他のモバイルパーツの端部を嵌め込み可能な凹部１２２と、他のモバイルパーツの端部に接することで連結部１２０に当該他のモバイルパーツを搭載する場合におけるガイドとなる凸部１２４とを有する。なお、円弧部１００の端部１０４と連結部１２０との固定方法に特に限定はなく、ねじやボルトで固定する方法、又は嵌め込む方法等、各種の固定方法を採用できる。
【００３９】
ここで、大拠点パーツ１０の円弧部１００は、図５（ｃ）や図５（ｅ）に示すように、同一形状の複数の部分円弧部（例えば、部分円弧部１００ａ、部分円弧部１００ｂ、及び部分円弧部１００ｃ）を有して構成することもできる。部分円弧部の形状は、第１の円弧状部分１０２を含む仮想円の中心を通る軸（つまり、第１の円弧状部分１０２を側面として有する円柱の軸）を想定した場合に、当該軸に垂直方向に沿って円弧部１００を切断した場合の形状と略同一である。
【００４０】
また、大拠点パーツ１０の連結部１２０は、図５（ｃ）や図５（ｄ）に示すように、同一形状の複数の部分連結部（例えば、部分連結部１２０ａ、及び部分連結部１２０ｂ）を有して構成することもできる。部分連結部の形状は、凹部１２２若しくは凸部１２４の長手方向に垂直となる方向に沿って連結部１２０を切断した場合の形状と略同一になる。なお、図５の例では３つの部分円弧部、及び２つの部分連結部を有する例を図示しているが、部分円弧部、及び部分連結部の個数は２個以上であれば限定されない。
【００４１】
更に、各部分円弧部の両側面には、図５（ｃ）や図５（ｆ）に示すように第１の円弧状部分１０２の円弧に沿って位置決め部１３０が設けられる。一例として、位置決め部１３０は、部分円弧部の一方の側面において第１の円弧状部分１０２の凸側表面に沿って円弧部１００から離れる方向に延びて設けられ、他方の側面において第１の円弧状部分１０２の凹側表面に沿って円弧部１００から離れる方向に延びて設けられる。なお、位置決め部１３０は、円弧部１００の両側面に溝形状として設けることや、凸形状若しくは凹形状として設けること、又は複数の凸形状若しくは凹形状として設けることもできる。
【００４２】
そして、一の部分円弧部の側面と他の部分円弧部の側面とがそれぞれの位置決め部１３０において位置決めされ、位置決めされた状態で固定される。本実施形態においては、大拠点パーツ１０の重さを子供が単独で容易には持つことを困難にする観点から、少なくとも２つの部分円弧部を互いに固定することが好ましい。そして、複数の部分円弧部の端部１０４が、複数の部分連結部（部分連結部１２０ａ、部分連結部１２０ｂ等）の凸側表面の少なくとも一部に固定される。なお、円弧部１００を複数の部分円弧部で構成する場合、一部の部分円弧部を他の連結された複数の部分円弧部から着脱自在に設けてもよい。
【００４３】
本実施形態では円弧部１００を部分円弧部で構成すること、及び／又は連結部１２０を部分連結部で構成することができるので、大拠点パーツ１０の重さを子供が単独で持ち運びが困難な重さに容易に調整することができる。例えば、１つの部分円弧部の重量は７ｋｇ〜８ｋｇ程度であることが好ましく、１つの部分連結部の重量は４ｋｇ〜５ｋｇ程度であることが好ましい。この場合、円弧部を２つの部分円弧部（一例として、部分円弧部１００ｂ及び部分円弧部１００ｃ）で構成し、部分円弧部同士をねじやボルト等で結合すると、当該円弧部の重量は１４ｋｇ〜１８ｋｇ程度である。そして、連結部１２０を２つの部分連結部（部分連結部１２０ａ及び部分連結部１２０ｂ）で構成し、部分連結部同士をねじやボルト等で結合すると、当該連結部１２０の重量は８ｋｇ〜１２ｋｇ程度である。したがって、この場合、大拠点パーツ１０の重量は２２ｋｇ〜３０ｋｇ程度になる。
【００４４】
（第１モバイルパーツ２０［Ｔｙｐｅ  Ｂ］の詳細）
図６は、本実施形態に係る遊具を構成する第１モバイルパーツの構成の一例を示す。図６（ａ）は、第１モバイルパーツ２０の斜視図の一例であり、図６（ｂ）は正面の一例であり、図６（ｃ）は側面の一例であり、図６（ｄ）は上面の一例である。
【００４５】
第１モバイルパーツ２０（Ｔｙｐｅ  Ｂ）は、長手方向に沿って円弧状に湾曲して形成されるアーチ形状を有し、アーチ形状の凸側に凸状部２１０若しくは凹状部２１２を有する湾曲板状のパーツである。具体的に、第１モバイルパーツ２０は、第１の円弧状部分１０２の円弧を含む第１の仮想円と同心円となる第２の仮想円の一部の円弧に対応する第２の円弧状部分２０２を有し、第２の円弧状部分２０２の凸側の少なくとも一部に凸状部２１０若しくは凹状部２１２の少なくともいずれかを有する湾曲板状のパーツである。
【００４６】
また、第１モバイルパーツ２０は、大拠点パーツ１０より軽量になるように構成される。例えば、第１モバイルパーツ２０の重量は、５ｋｇ〜８ｋｇ程度であることが好ましい。なお、第１の仮想円の半径は第２の仮想円の半径より大きい。
【００４７】
第２の円弧状部分２０２の凸側表面には、複数の凸状部２１０若しくは凹状部２１２を設けることができる。複数の凸状部２１０若しくは凹状部２１２はそれぞれ略同一のピッチで配置される。すなわち、第２の円弧状部分２０２の凸側表面には、第２の円弧状部分２０２の周方向に沿って略等間隔に複数の凸状部２１０及び複数の凹状部２１２が設けられる。なお、凸状部２１０及び凹状部２１２はそれぞれ、凸状部１１０及び凹状部１１２のそれぞれと略同一形状である。また、第１モバイルパーツ２０の端部２０４は、大拠点パーツ１０や他のパーツの凹状部や凹部に嵌め込み可能に形成される。
【００４８】
また、第１モバイルパーツ２０の両側面には、図６（ｃ）や図６（ｄ）に示すように第２の円弧状部分２０２の円弧に沿って位置決め部２３０が設けられる。一例として、位置決め部２３０は、第２の円弧状部分２０２の一方の側面において第２の円弧状部分２０２の凸側表面に沿って第２の円弧状部分２０２から離れる方向に延びて設けられ、他方の側面において第２の円弧状部分２０２の凹側表面に沿って第２の円弧状部分２０２から離れる方向に延びて設けられる。なお、位置決め部２３０は、第２の円弧状部分２０２の両側面に溝形状として設けることや、凸形状若しくは凹形状として設けること、又は複数の凸形状若しくは凹形状として設けることもできる。
【００４９】
（第２モバイルパーツ３０［Ｔｙｐｅ  Ｃ］の詳細）
図７は、本実施形態に係る遊具を構成する第２モバイルパーツの構成の一例を示す。図７（ａ）は、第２モバイルパーツ３０の斜視図の一例であり、図７（ｂ）は正面の一例であり、図７（ｃ）は側面の一例であり、図７（ｄ）は上面の一例である。
【００５０】
第２モバイルパーツ３０（Ｔｙｐｅ  Ｃ）は、長手方向に沿って円弧状に湾曲して形成されるアーチ形状を有し、アーチ形状の凸側に凸状部３１０若しくは凹状部３１２を有する湾曲板状のパーツである。具体的に、第２モバイルパーツ３０は、第１の仮想円及び第２の仮想円と同心円となり、第１の仮想円及び第２の仮想円とは異なる第３の仮想円の一部の円弧に対応する第３の円弧状部分３０２を有し、第３の円弧状部分３０２の凸側の少なくとも一部に凸状部３１０若しくは凹状部３１２の少なくともいずれかを有する湾曲板状を有する。
【００５１】
また、第２モバイルパーツ３０は、大拠点パーツ１０より軽量になるように構成される。例えば、第２モバイルパーツ３０の重量は、３ｋｇ〜６ｋｇ程度であることが好ましい。また、第２モバイルパーツ３０の重量は、第１モバイルパーツ２０の重量より軽量であることが好ましい。なお、第３の仮想円の半径は第２の仮想円の半径より小さい。
【００５２】
第３の円弧状部分３０２の凸側表面には、複数の凸状部３１０若しくは凹状部３１２を設けることができる。複数の凸状部３１０若しくは凹状部３１２はそれぞれ略同一のピッチで配置される。すなわち、第３の円弧状部分３０２の凸側表面には、第３の円弧状部分３０２の周方向に沿って略等間隔に複数の凸状部３１０及び複数の凹状部３１２が設けられる。なお、凸状部３１０及び凹状部３１２はそれぞれ、凸状部１１０及び凹状部１１２のそれぞれと略同一形状である。また、第２モバイルパーツ３０の端部３０４は、大拠点パーツ１０や他のパーツの凹状部や凹部に嵌め込み可能に形成される。
【００５３】
また、第２モバイルパーツ３０の両側面には、図７（ｃ）や図７（ｄ）に示すように第３の円弧状部分３０２の円弧に沿って位置決め部３３０が設けられる。一例として、位置決め部３３０は、第３の円弧状部分３０２の一方の側面において第３の円弧状部分３０２の凸側表面に沿って第３の円弧状部分３０２から離れる方向に延びて設けられ、他方の側面において第３の円弧状部分３０２の凹側表面に沿って第３の円弧状部分３０２から離れる方向に延びて設けられる。なお、位置決め部３３０は、第３の円弧状部分３０２の両側面に溝形状として設けることや、凸形状若しくは凹形状として設けること、又は複数の凸形状若しくは凹形状として設けることもできる。
【００５４】
（第３モバイルパーツ４０［Ｔｙｐｅ  Ｅ］の詳細）
図８は、本実施形態に係る遊具を構成する第３モバイルパーツの構成の一例を示す。図８（ａ）は、第３モバイルパーツ４０の斜視図の一例であり、図８（ｂ）は正面の一例であり、図８（ｃ）は側面の一例であり、図８（ｄ）は上面の一例である。
【００５５】
第３モバイルパーツ４０（Ｔｙｐｅ  Ｅ）は、長手方向に沿って円弧状に湾曲して形成されるアーチ形状を有し、アーチ形状の凸側に凸状部４１０若しくは凹状部４１２を有する湾曲板状のパーツである。第１モバイルパーツ２０及び第２モバイルパーツ３０は正面視にて略Ｃ字型の形状を有する一方で、第３モバイルパーツ４０は正面視にて円の略１／４の円弧型形状を有する。具体的に、第３モバイルパーツ４０は、第１の仮想円、第２の仮想円、及び第３の仮想円と同心円となり、これらの仮想円とは異なる第４の仮想円の一部の円弧に対応する第４の円弧状部分４０２を有し、第４の円弧状部分４０２の凸側の少なくとも一部に凸状部４１０若しくは凹状部４１２の少なくともいずれかを備える湾曲板状を有する。また、第３モバイルパーツ４０は、第４の円弧状部分４０２の凹側の少なくとも一部に内側凸状部４１４が設けられている。
【００５６】
また、第３モバイルパーツ４０は、大拠点パーツ１０より軽量になるように構成される。例えば、第３モバイルパーツ４０は、３ｋｇ〜５ｋｇ程度の重量であることが好ましい。また、第３モバイルパーツ４０の重量は、第１モバイルパーツ２０の重量より軽量であることが好ましい。なお、第４の仮想円の半径は第１の仮想円の半径より大きい。
【００５７】
第４の円弧状部分４０２の凸側表面には、複数の凸状部４１０若しくは凹状部４１２を設けることができる。複数の凸状部４１０若しくは凹状部４１２はそれぞれ略同一のピッチで配置される。すなわち、第４の円弧状部分４０２の凸側表面には、第４の円弧状部分４０２の周方向に沿って略等間隔に複数の凸状部４１０及び複数の凹状部４１２が設けられる。なお、凸状部４１０及び凹状部４１２はそれぞれ、凸状部１１０及び凹状部１１２のそれぞれと略同一形状である。また、第３モバイルパーツ４０の端部４０４は、大拠点パーツ１０や他のパーツの凹状部や凹部に嵌め込み可能に形成される。
【００５８】
（カバーパーツ５０［Ｔｙｐｅ  Ｆ］の詳細）
図９は、本実施形態に係る遊具を構成するカバーパーツの構成の一例を示す。図９（ａ）は、カバーパーツの斜視図の一例であり、図９（ｂ）は正面の一例であり、図９（ｃ）は側面の一例であり、図９（ｄ）は上面の一例であり、図９（ｅ）は他の側面の一例である。
【００５９】
カバーパーツ５０（Ｔｙｐｅ  Ｆ）は、モバイルパーツの凸側の少なくとも一部を覆う湾曲板状のパーツである。具体的に、カバーパーツ５０は、長手方向に沿って円弧状に湾曲されて形成されるアーチ形状を有し、アーチ形状の凸側表面に凸部５１０及び凹部５１２を有して構成される波型形状を有する湾曲板状のパーツである。第３モバイルパーツ４０と同様に、カバーパーツ５０は正面視にて円の略１／４の円弧型形状を有する。カバーパーツ５０は、第１の仮想円、第２の仮想円、第３の仮想円、及び第４の仮想円と同心円となり、これらの仮想円とは異なる仮想円の一部の円弧に対応する円弧状部分５０２を有し、円弧状部分５０２の凸側の少なくとも一部に凸部５１０若しくは凹部５１２の少なくともいずれかを備える湾曲板状を有する。また、カバーパーツ５０は、円弧状部分５０２の凹側の少なくとも一部に内側凸状部５１４が設けられている。
【００６０】
また、カバーパーツ５０は、大拠点パーツ１０より軽量になるように構成される。例えば、カバーパーツ５０は、１０ｋｇ〜１７ｋｇ程度の重量であることが好ましい。また、カバーパーツ５０の重量は、第１〜第３モバイルパーツの重量より重いことが好ましい。なお、カバーパーツ５０の仮想円の半径は第４の仮想円の半径より大きい。
【００６１】
カバーパーツ５０の凸側表面には、複数の凸部５１０若しくは凹部５１２を設けることができる。複数の凸部５１０若しくは凹部５１２はそれぞれ略同一のピッチで配置される。すなわち、カバーパーツ５０の凸側表面には、円弧状部分５０２の周方向に略水平に伸びるように複数の凸部５１０及び複数の凹部５１２が設けられる。なお、凸部５１０及び凹部５１２はそれぞれ、凸状部１１０及び凹状部１１２のそれぞれと異なり、より緩やかな凸状若しくは凹状を有する。また、カバーパーツ５０の端部５０４は、大拠点パーツ１０や他のパーツの凹状部や凹部に嵌め込み可能に形成される。
【００６２】
（蓋パーツ６０［Ｔｙｐｅ  Ｇ］の詳細）
図１０は、本実施形態に係る遊具を構成する蓋パーツの構成の一例を示す。図１０（ａ）は、蓋パーツの斜視図の一例であり、図１０（ｂ）は正面の一例であり、図１０（ｃ）は裏面の一例であり、図１０（ｄ）は側面の一例である。
【００６３】
蓋パーツ６０は、大拠点パーツ１０及び第１〜第３モバイルパーツの側方の少なくとも一部を覆うと共に、縁部に波型形状６００を有し、波型形状６００が複数の波型凸部６１０及び複数の波型凹部６１２を含んで構成される。また、蓋パーツ６０は、複数の波型凸部６１０の先端を結んだ仮想円が第１の仮想円と同心円である板状のパーツである。この仮想円は、大拠点パーツ１０の外側に第３モバイルパーツ４０を嵌め合わせ、第３モバイルパーツ４０の外側にカバーパーツ５０を嵌め合わせた場合にカバーパーツ５０の内側に接する半径を有することが好ましい。
【００６４】
更に、蓋パーツ６０は、波型形状６００が形成されていない縁部分に湾曲部６２０を有する。湾曲部６２０は、図１０（ｂ）に示すように、蓋パーツ６０の中心６１４に凸側が向くように設けられる。また、図１０（ｃ）及び図１０（ｄ）に示すように、蓋パーツ６０の一方の面に正面視にて円形である突起部６３０及び突起部６３２が設けられる。突起部６３０は突起部６３２より大きな形状を有し、蓋パーツ６０の仮想円の中心に配置される。また、突起部６３０は、第２モバイルパーツ３０の内側に嵌まる大きさを有する。
【００６５】
また、蓋パーツ６０は、大拠点パーツ１０より軽量になるように構成される。例えば、蓋パーツ６０は、８ｋｇ〜１１ｋｇ程度の重量であることが好ましい。
【００６６】
（リンクパーツ７０［Ｔｙｐｅ  Ｄ］の詳細）
図１１は、本実施形態に係る遊具を構成するリンクパーツの構成の一例を示す。図１１（ａ）はリンクパーツの斜視図の一例を示し、図１１（ｂ）は正面の一例を示し、図１１（ｃ）は側面の一例を示し、図１１（ｄ）は上面の一例を示す。
【００６７】
リンクパーツ７０は、略直方体形状を有し、複数の凸状部７１０及び凹状部７１２を有する一対の面と、この一対の面とは異なる面の一部に溝部７１４とを有し、長辺が、上記で説明した第１の仮想円及び他の仮想円のうち直径が小さい方の仮想円の直径より短い長さを有する。例えば、リンクパーツ７０の正面視における長手方向の長さＬは、第２モバイルパーツ３０の第３の円弧状部分３０２の内壁に対応する円の直径以下、好ましくは当該円の直径未満の長さを有する。
【００６８】
凸状部７１０及び凹状部７１２はそれぞれ、凸状部１１０及び凹状部１１２のそれぞれと略同一形状である。また、溝部７１４は、大拠点パーツ１０や他のパーツの凸状部や凸部に嵌め込み可能に形成される。
【００６９】
また、リンクパーツ７０は、大拠点パーツ１０より軽量になるように構成される。例えば、リンクパーツ７０は、１ｋｇ〜３ｋｇ程度の重量であることが好ましい。なお、リンクパーツ７０は、スツールとして用いることもできる。
【００７０】
（各構成要素の材質）
大拠点パーツ１０、第１モバイルパーツ２０、第２モバイルパーツ３０、第３モバイルパーツ４０、カバーパーツ５０、蓋パーツ６０、及びリンクパーツ７０等の構成要素はそれぞれ、樹脂材料を用いて構成できる。例えば、ポリエチレンやポリプロピレン等の樹脂を用いて構成できる。本実施形態においては製造を容易にする観点から、これら構成要素を中空ポリエチレン回転成形体として形成することが好ましい。なお、一部の構成要素を他の樹脂材料や木材等から形成してもよい。また、各構成要素の表面に塗装を施してもよい。更に、各構成要素の表面に、子供が接触等した場合の緩衝層として、ゴム等の弾性材料からなる層を設けてもよい。
【００７１】
（嵌め合わせについて）
一の構成要素の凸状部、凸部、若しくは端部（すなわち、凸状部１１０、凸状部２１０、凸状部３１０、凸状部４１０、内側凸状部４１４、内側凸状部５１４、凸状部７１０、端部２０４、端部３０４、端部４０４、端部５０４。以下、単に「凸部分」と称する。）を、他の構成要素の凹状部若しくは凹部（すなわち、凹状部１１２、凹状部２１２、凹状部３１２、凹状部４１２、凹状部７１２。以下、単に「凹部分」と称する。）に嵌め合わせた場合に、一の構成要素と他の構成要素とが完全に固定されるように嵌め合う凸部分と凹部分とを構成することができる。また、一の構成要素と他の構成要素とが完全には固定されないように、凸部分と凹部分との間に所定の隙間を設けることもできる。この隙間を設けることで、一の構成要素を他の構成要素に嵌めやすく、かつ、取り外しやすいという効果が発揮される。
【００７２】
＜遊具１の収納方法の詳細＞
図１２〜図１９は、本実施形態に係る遊具を収納する方法の一例を示す。
【００７３】
本実施形態に係る遊具１は、大拠点パーツ１０に他の構成要素を入れ子式に収納することでコンパクトにまとめることができる。すなわち、第１の円弧状部分１０２の凸側若しくは凹側に、モバイルパーツ（第１、第２、若しくは第３モバイルパーツ）の凹側若しくは凸側が位置するように大拠点パーツ１０に対してモバイルパーツを配置することで、第１の仮想円と他の仮想円とが略同心円の配置となり、大拠点パーツ１０及びモバイルパーツを一体的に収納することができる。
【００７４】
具体的に、まず図１２に示すように、正面視にて連結部１２０の凸部１２４の内側の根元に沿って第２モバイルパーツ３０の端部３０４をスライドさせ、第２モバイルパーツ３０を大拠点パーツ１０の空洞１４０内に搭載する。なお、図１２の例では３つの第２モバイルパーツ３０を並べて連結部１２０上に搭載する例を示すが、大拠点パーツ１０内に搭載可能な範囲であれば、第２モバイルパーツ３０の数は３つに限られない。
【００７５】
次に、図１３に示すように、正面視にて連結部の凹部１２２に第１モバイルパーツ２０の端部２０４をスライドしつつ嵌め込むことによって、第１モバイルパーツ２０を大拠点パーツ１０の空洞１４０内に搭載する。なお、図１３の例では３つの第１モバイルパーツ２０を並べて連結部１２０上に搭載する例を示すが、大拠点パーツ１０内に搭載可能な範囲であれば、第１モバイルパーツ２０の数は３つに限られない。
【００７６】
そして、図１４に示すように、大拠点パーツ１０の円弧部１００の凸側表面に設けられた所定位置の凹状部１１２に第３モバイルパーツ４０の内側凸状部４１４を嵌め込むことで、大拠点パーツ１０の円弧部１００表面に第３モバイルパーツ４０を固定する。円弧部１００の表面には複数の第３モバイルパーツ４０を固定できる。図１４の例では合計６つまで第３モバイルパーツ４０を円弧部１００の表面に搭載する例を示すが、第３モバイルパーツ４０の数はこれに限られない。
【００７７】
続いて、図１５に示すように、第３モバイルパーツ４０の所定位置の凹状部４１２にカバーパーツ５０の内側凸状部５１４を嵌め込むことで、第３モバイルパーツ４０の表面にカバーパーツ５０を固定する。第３モバイルパーツ４０の表面には複数のカバーパーツ５０を固定できる。図１５の例では合計２つのカバーパーツ５０を第３モバイルパーツ４０の表面に搭載する例を示すが、カバーパーツ５０の数はこれに限られない。例えば、２つのカバーパーツ５０を互いに接続した１つの大型カバーパーツを第３モバイルパーツ４０の表面に固定することもできる。
【００７８】
図１６（ａ）は、カバーパーツ５０を第３モバイルパーツ４０の表面に固定した状態の斜視図の例を示す。そして、図１６（ｂ）は、係る状態の遊具を正面から参照した例を示す。図１６（ｂ）に示すように、第３の円弧状部分３０２、第２の円弧状部分２０２、第１の円弧状部分１０２、第４の円弧状部分４０２、及び円弧状部分５０２が同心円状に配置され、かつ、この順に入れ子状に整頓された状態で大拠点パーツ１０、第１モバイルパーツ２０、第２モバイルパーツ３０、第３モバイルパーツ４０、及びカバーパーツ５０が一体的に収納される。
【００７９】
更に、図１７に示すように、１つ以上のリンクパーツ７０が、第２モバイルパーツ３０の内側に搭載される。そして、この状態で図１８に示すように、カバーパーツ５０の内側に蓋パーツ６０を嵌め込むことで、全てのパーツが一体的に収納される。この場合において、突起部６３０は第２モバイルパーツ３０の内側に嵌め合わされ、突起部６３２は所定のモバイルパーツの所定の凹状部に側面から嵌め合わされる。そして、図１９に示すように、蓋パーツ６０は、波型凸部６１０がカバーパーツ５０の内側に接触するように嵌め合わされる。
【００８０】
なお、図１４に示すように、大拠点パーツ１０の幅、第１モバイルパーツ２０の幅、第２モバイルパーツ３０の幅、及び第３モバイルパーツの幅は、それぞれ略同一の幅Ｗとなるように形成することが好ましい。また、大拠点パーツ１０の連結部１２０を複数の部分連結部から構成する場合、複数の部分連結部を連結させた後の幅と、他のモバイルパーツの幅（他のモバイルパーツが複数のパーツから構成される場合、複数のパーツを連結させた後の幅）とが略同一の幅になるように形成することが好ましい。そして、図１８等に示すように、カバーパーツ５０の幅は、大拠点パーツ１０等の幅Ｗより広い幅となるように形成することが好ましい。
【００８１】
（実施の形態の効果）
本実施形態に係る遊具１においては、大拠点パーツ１０の凸状部１１０若しくは凹状部１１２と、モバイルパーツ又はリンクパーツの凹状部若しくは凸状部とが着脱自在に設けられる。また、遊具１においては、一のモバイルパーツ又はリンクパーツの凸状部と他のモバイルパーツ又はリンクパーツの凹状部とが着脱自在に設けられる。更に、遊具１においては、大拠点パーツ１０が他のモバイルパーツやカバーパーツ５０、蓋パーツ６０、及び／又はリンクパーツ７０より重くなるように構成されている。これにより遊具１によれば、大拠点パーツ１０を基点とし、各種のモバイルパーツやリンクパーツを大拠点パーツ１０に自在に組み合わせることや他の構成要素同士を自在に組み合わせることができる。
【００８２】
これにより、本実施形態に係る遊具１によれば、設置面に固定することを要さず、複数の子供が集合して様々なパーツの組み合わせを構成して遊ぶことができる。すなわち、本実施形態に係る遊具１には、その使用方法に予め定められたルールが存在しないので、遊具の管理者の制約にとらわれずに子供達が自立的に遊ぶことができる。したがって、本実施形態に係る遊具１によれば、遊具１の遊び方に拡張性を持たせることができると共に、子供が主体性をもって自ら遊ぶことができるので、子供達の創造性や協調性等を刺激することができる。
【００８３】
また、本実施形態に係る遊具１は、大拠点パーツ１０に他の構成要素を入れ子式に収納することができるので遊具１を様々な場所に持ち運ぶことができると共に、複数の構成要素をコンパクトに収納した状態を図３や図１８等に示したように魅力的なデザインにすることができる。更に、入れ子式に収納できることから子供にとって片づけが容易で構成要素の配置の入れ間違いも発生しにくい。その結果、遊具１の使い方や片づけ方も分かりやすくすることができる。これにより、子供達が、遊具１の持ち運びや片づけを主体的に実行することが期待される。
【００８４】
また、本実施形態に係る遊具１は、大拠点パーツ１０に他の構成要素を組み合わせたり、一の構成要素に他の構成要素を自在に組み合わせることができる。これにより、遊具１によれば、複数の構成要素を用いた様々な形状を即座に組み上げることができるので、様々な遊びの内容と遊び方を実現することができる。そのため、子供たちは、１つの特定の遊びに固執することなく、複数の構成要素の組み合わせを次々に変化させることができる。その結果、遊具１によれば、構成要素の組み合わせの変化を誘導し、かつ、組み合わせを連続的に変えるという遊びを促すことができる。これにより、遊具１によれば、様々な遊びを次々に誘発させることや新たな遊びを偶然発生させることが容易となるという観点から、子供の創造性を刺激することができる。
【００８５】
そして、本実施形態に係る遊具１は、大拠点パーツ１０を基点として他の複数の構成要素を用いており、また、大拠点パーツ１０を除く他の構成要素は子供たちが容易に持ち運ぶことができるサイズ、重さを有して構成されている。そのため、様々な子供たちそれぞれが、ある構成要素を持ち寄って入れ代わり立ち代わり遊ぶことができる（つまり、特定の子供達のみで遊ぶというようなことを抑制できる。）。これにより、遊具１によれば、複数の子供が複数のグループを構成する場合であっても、各グループの構成要員を固定することなく流動的にすることができるので、偶発的に発生した子供のグループによる新たな遊び等を発生させることが容易となる。いわば、遊び方等を拡張させることが容易となる。
【００８６】
また、複数の第３モバイルパーツ４０（Ｔｙｐｅ  Ｅ）を用い、一の第３モバイルパーツ４０の凸側を設置面に向けて載置し、この一の第３モバイルパーツ４０の隣に他の第３モバイルパーツ４０の凸側を設置面とは反対側に向けて載置することを繰り返すことで、凹凸の道を歩くルート遊びを誘発させることができる。
【００８７】
また、円弧部１００（Ｔｙｐｅ  Ａ）、第１モバイルパーツ２０（Ｔｙｐｅ  Ｂ）、第３モバイルパーツ４０（Ｔｙｐｅ  Ｅ）、若しくはカバーパーツ５０（Ｔｙｐｅ  Ｆ）を用い、それぞれの凸側を設置面に向けて載置することでロッキングするゆりかごやシーソー等のスイング遊びを誘発させることができる。同様に、蓋パーツ６０（Ｔｙｐｅ  Ｇ）の突起部６３０を設置面に向けて載置することで、ローリングするバランス遊具を構成できる。更に、大拠点パーツ１０とカバーパーツ５０等とを組み合わせることで、滑り台を構成することもできる。
【００８８】
以上、本発明の実施の形態を説明したが、上記に記載した実施の形態は特許請求の範囲に係る発明を限定するものではない。また、実施の形態の中で説明した特徴の組み合わせの全てが発明の課題を解決するための手段に必須であるとは限らない点に留意すべきである。
【符号の説明】
【００８９】
１  遊具
２  台車
４  底部
５  側面部
６  車輪
８  紐
９  バンド
１０  大拠点パーツ
２０  第１モバイルパーツ
３０  第２モバイルパーツ
４０  第３モバイルパーツ
５０  カバーパーツ
６０  蓋パーツ
７０  リンクパーツ
１００  円弧部
１００ａ、１００ｂ、１００ｃ  部分円弧部
１０２  第１の円弧状部分
１０４  端部
１１０  凸状部
１１２  凹状部
１２０  連結部
１２０ａ、１２０ｂ  部分連結部
１２２  凹部
１２４  凸部
１３０  位置決め部
１４０  空洞
２０２  第２の円弧状部分
２０４  端部
２１０  凸状部
２１２  凹状部
２３０  位置決め部
３０２  第３の円弧状部分
３０４  端部
３１０  凸状部
３１２  凹状部
３３０  位置決め部
４０２  第４の円弧状部分
４０４  端部
４１０  凸状部
４１２  凹状部
４１４  内側凸状部
５０２  円弧状部分
５０４  端部
５１０  凸部
５１２  凹部
５１４  内側凸状部
６００  波型形状
６１０  波型凸部
６１２  波型凹部
６１４  中心
６２０  湾曲部
６３０、６３２  突起部
７１０  凸状部
７１２  凹状部
７１４  溝部
【図１】
2020146143.tif 000003
【図２】
2020146143.tif 000004
【図３】
2020146143.tif 000005
【図４】
2020146143.tif 000006
【図５】
2020146143.tif 000007
【図６】
2020146143.tif 000008
【図７】
2020146143.tif 000009
【図８】
2020146143.tif 000010
【図９】
2020146143.tif 000011
【図１０】
2020146143.tif 000012
【図１１】
2020146143.tif 000013
【図１２】
2020146143.tif 000014
【図１３】
2020146143.tif 000015
【図１４】
2020146143.tif 000016
【図１５】
2020146143.tif 000017
【図１６】
2020146143.tif 000018
【図１７】
2020146143.tif 000019
【図１８】
2020146143.tif 000020
【図１９】
2020146143.tif 000021